(57)【要約】  本発明は、リードイン領域、データ領域、リードアウト領域が設けられ、データ領域は、ユーザデータを記録するためのユーザデータ領域と、ユーザデータ領域に記録されたデータを代替するための代替データを記録するためのスペア領域とを備える情報記録媒体にデータを記録する記録部と、ユーザデータ領域に記録されたデータを代替するための代替データをスペア領域またはユーザデータ領域の未記録領域に記録し、ユーザデータ領域の論理的ボリューム空間上でデータの論理的ＬＲＡ情報をリードイン領域またはリードアウト領域に記録するように記録部を制御する制御部と、を備える記録装置である。これにより、ユーザデータ領域の最後の記録アドレスを効果的に管理することによって、データの記録／再生を信頼性よく行える。
2008508657.tif 000002
【特許請求の範囲】
【請求項１】
記録／再生装置に使用するための情報記録媒体であって、
前記媒体には、リードイン領域、データ領域、リードアウト領域が設けられ、
前記データ領域は、ユーザデータを記録するためのユーザデータ領域と、前記ユーザデータ領域に記録されたデータを代替するための代替データを記録するためのスペア領域とを備え、前記ユーザデータ領域に記録されたユーザデータを代替するための代替データは、前記スペア領域または前記ユーザデータ領域の未記録領域に記録され、
前記ユーザデータ領域の論理的ボリューム空間上でデータの論理的ＬＲＡが、前記リードイン領域またはリードアウト領域に記録されることを特徴とする情報記録媒体。
【請求項２】
前記ユーザデータ領域の物理的ボリューム空間上でデータの物理的ＬＲＡ情報が、前記媒体にさらに記録されることを特徴とする請求項１に記載の情報記録媒体。
【請求項３】
前記論理的ＬＲＡは、論理アドレスまたは前記論理アドレスに対応する物理アドレスであることを特徴とする請求項２に記載の情報記録媒体。
【請求項４】
前記論理的ＬＲＡは、前記リードイン領域またはリードアウト領域に設けられる臨時ディスク管理領域に臨時ディスク定義構造として記録されることを特徴とする請求項２に記載の情報記録媒体。
【請求項５】
前記媒体は、追記型情報記録媒体であることを特徴とする請求項２に記載の情報記録媒体。
【請求項６】
前記代替が行われれば、前記代替前の本来のデータのアドレス情報及び前記代替後の代替データのアドレス情報を含む代替エントリが、前記リードイン領域またはリードアウト領域にさらに記録されることを特徴とする請求項２に記載の情報記録媒体。
【請求項７】
前記代替エントリは、前記リードイン領域またはリードアウト領域に設けられる臨時ディスク管理領域に臨時欠陥リスト情報として記録されることを特徴とする請求項６に記載の情報記録媒体。
【請求項８】
前記論理的ＬＲＡは、論理アドレスまたは前記論理アドレスに対応する物理アドレスであることを特徴とする請求項１に記載の情報記録媒体。
【請求項９】
前記論理的ＬＲＡは、前記リードイン領域またはリードアウト領域に設けられる臨時ディスク管理領域に臨時ディスク定義構造として記録されることを特徴とする請求項１に記載の情報記録媒体。
【請求項１０】
前記媒体は、追記型情報記録媒体であることを特徴とする請求項１に記載の情報記録媒体。
【請求項１１】
前記代替が行われれば、前記代替前の本来のデータのアドレス情報及び前記代替後の代替データのアドレス情報を含む代替エントリが、前記リードイン領域またはリードアウト領域にさらに記録されることを特徴とする請求項１に記載の情報記録媒体。
【請求項１２】
前記代替エントリは、前記リードイン領域または前記リードアウト領域に配列された臨時ディスク管理領域に臨時欠陥リスト情報として記録されることを特徴とする請求項１１に記載の情報記録媒体。
【請求項１３】
記録装置において、
リードイン領域、データ領域、リードアウト領域が設けられ、前記データ領域は、ユーザデータを記録するためのユーザデータ領域と、前記ユーザデータ領域に記録されたデータを代替するための代替データを記録するためのスペア領域とを備える情報記録媒体にデータを記録する記録部と、
前記ユーザデータ領域に記録されたデータを代替するための代替データを前記スペア領域または前記ユーザデータ領域の未記録領域に記録し、前記ユーザデータ領域の論理的ボリューム空間上でデータが論理的ＬＲＡ情報を前記リードイン領域またはリードアウト領域に記録するように前記記録部を制御する制御部と、を備えることを特徴とする記録装置。
【請求項１４】
前記制御部は、
前記ユーザデータ領域の物理的ボリューム空間上でデータが、物理的ＬＲＡ情報を前記媒体にさらに記録するように前記記録部をさらに制御することを特徴とする請求項１３に記載の記録装置。
【請求項１５】
前記論理的ＬＲＡは、論理アドレスまたは前記論理アドレスに対応する物理アドレスであることを特徴とする請求項１４に記載の記録装置。
【請求項１６】
前記制御部は、
前記論理的ＬＲＡ情報を、前記媒体のリードイン領域またはリードアウト領域に設けられる臨時ディスク管理領域に臨時ディスク定義構造として記録するように前記記録部をさらに制御することを特徴とする請求項１４に記載の記録装置。
【請求項１７】
前記制御部は、
前記代替が行われれば、前記代替前の本来のデータのアドレス情報及び前記代替後の代替データのアドレス情報を含む代替エントリを前記リードイン領域またはリードアウト領域にさらに記録するように前記記録部をさらに制御することを特徴とする請求項１４に記載の記録装置。
【請求項１８】
前記制御部は、
前記代替エントリを前記リードイン領域またはリードアウト領域に設けられる臨時ディスク管理領域に臨時欠陥リスト情報として記録するように前記記録部をさらに制御することを特徴とする請求項１７に記載の記録装置。
【請求項１９】
前記制御部は、
前記ユーザデータ領域の物理的ボリューム空間上でデータが、物理的ＬＲＡ情報を前記媒体にさらに記録するように前記記録部をさらに制御することを特徴とする請求項１３に記載の記録装置。
【請求項２０】
前記論理的ＬＲＡは、論理アドレスまたは前記論理アドレスに対応する物理アドレスであることを特徴とする請求項１３に記載の記録装置。
【請求項２１】
前記制御部は、
前記論理的ＬＲＡ情報を、前記媒体のリードイン領域またはリードアウト領域に設けられる臨時ディスク管理領域に臨時ディスク定義構造として記録するように前記記録部をさらに制御することを特徴とする請求項１３に記載の記録装置。
【請求項２２】
前記制御部は、
前記代替が行われれば、前記代替前の本来のデータのアドレス情報及び前記代替後の代替データのアドレス情報を含む代替エントリを、前記リードイン領域またはリードアウト領域にさらに記録するように前記記録部をさらに制御することを特徴とする請求項１３に記載の記録装置。
【請求項２３】
前記制御部は、
前記代替エントリを前記リードイン領域またはリードアウト領域に設けられる臨時ディスク管理領域に臨時欠陥リスト情報として記録するように前記記録部をさらに制御することを特徴とする請求項２２に記載の記録装置。
【請求項２４】
リードイン領域、データ領域、リードアウト領域が設けられ、前記データ領域は、ユーザデータを記録するためのユーザデータ領域と、前記ユーザデータ領域に記録されたデータを代替するための代替データを記録するためのスペア領域とを備え、前記ユーザデータ領域に記録されたデータを代替するための代替データが、前記スペア領域または前記ユーザデータ領域の未記録領域に記録された情報記録媒体からデータを読み取る読み取り部と、
前記媒体のリードイン領域またはリードアウト領域から前記ユーザデータ領域の論理的ボリューム空間上でデータの論理的ＬＲＡ情報を読み取るように前記読み取り部を制御する制御部と、を備えることを特徴とする再生装置。
【請求項２５】
リードイン領域、データ領域、リードアウト領域が設けられ、前記データ領域は、ユーザデータを記録するためのユーザデータ領域と、前記ユーザデータ領域に記録されたデータを代替するための代替データを記録するためのスペア領域とを備える情報記録媒体の前記ユーザデータ領域に記録されたデータを代替するための代替データを、前記スペア領域または前記ユーザデータ領域の未記録領域に記録するステップと、
前記ユーザデータ領域の論理的ボリューム空間上でデータの論理的ＬＲＡ情報を前記リードイン領域またはリードアウト領域に記録するステップと、を含むことを特徴とする記録方法。
【請求項２６】
前記ユーザデータ領域の物理的ボリューム空間上でデータの物理的ＬＲＡ情報を前記リードイン領域またはリードアウト領域に記録するステップをさらに含むことを特徴とする請求項２５に記載の記録方法。
【請求項２７】
前記論理的ＬＲＡは、論理アドレスまたは前記論理アドレスに対応する物理アドレスであることを特徴とする請求項２６に記載の記録方法。
【請求項２８】
前記論理的ＬＲＡの記録ステップは、
前記論理的ＬＲＡ情報を、前記媒体のリードイン領域またはリードアウト領域に設けられる臨時ディスク管理領域に臨時ディスク定義構造として記録するステップを含むことを特徴とする請求項２６に記載の記録方法。
【請求項２９】
前記代替前の本来のデータのアドレス情報及び前記代替後の代替データのアドレス情報を含む代替エントリを前記リードイン領域またはリードアウト領域に記録するステップをさらに含むことを特徴とする請求項２６に記載の記録方法。
【請求項３０】
前記代替エントリの記録ステップは、
前記代替エントリを前記リードイン領域またはリードアウト領域に設けられる臨時ディスク管理領域に臨時欠陥リスト情報として記録するステップを含むことを特徴とする請求項２９に記載の記録方法。
【請求項３１】
前記論理的ＬＲＡは、論理アドレスまたは前記論理アドレスに対応する物理アドレスであることを特徴とする請求項２５に記載の記録方法。
【請求項３２】
前記論理的ＬＲＡの記録ステップは、
前記論理的ＬＲＡ情報を、前記媒体のリードイン領域またはリードアウト領域に設けられる臨時ディスク管理領域に臨時ディスク定義構造として記録するステップを含むことを特徴とする請求項２５に記載の記録方法。
【請求項３３】
前記代替前の本来のデータのアドレス情報及び前記代替後の代替データのアドレス情報を含む代替エントリを前記リードイン領域またはリードアウト領域に記録するステップをさらに含むことを特徴とする請求項２５に記載の記録方法。
【請求項３４】
前記代替エントリの記録ステップは、
前記代替エントリを、前記リードイン領域またはリードアウト領域に設けられる臨時ディスク管理領域に臨時欠陥リスト情報として記録するステップを含むことを特徴とする請求項３３に記載の記録方法。
【請求項３５】
リードイン領域、データ領域、リードアウト領域が設けられ、前記データ領域はユーザデータを記録するためのユーザデータ領域と、前記ユーザデータ領域に記録されたデータを代替するための代替データを記録するためのスペア領域とを備え、前記ユーザデータ領域に記録されたデータを代替するための代替データが前記スペア領域または前記ユーザデータ領域の未記録領域に記録される情報記録媒体からデータを読み取るステップと、
前記媒体のリードイン領域またはリードアウト領域から、前記ユーザデータ領域の論理的ボリューム空間上でデータの論理的ＬＲＡを読み取るステップと、を含むことを特徴とする再生方法。
【請求項３６】
記録及び／または再生装置に利用するための追記型情報記録媒体において、
前記装置により記録されたユーザデータを保存する第１記録領域と、
前記装置により記録された代替データを保存する第２記録領域と、を備え、
前記装置が、前記第１記録領域の論理的ボリューム空間の前記代替データまたは前記ユーザデータの論理的ＬＲＡを記録するディスク欠陥管理方法によって、前記第１記録領域に前記ユーザデータをアップデートするために、前記代替データは、前記装置により使用されることを特徴とする追記型情報記録媒体。
【請求項３７】
前記第１記録領域は、ユーザデータ領域を備え、前記第２記録領域は、スペア領域を備えることを特徴とする請求項３６に記載の追記型情報記録媒体。
【請求項３８】
前記装置は、前記第１記録領域及び第２記録領域とは分離された前記情報記録媒体の第３記録領域であるリードイン領域及びリードアウト領域のうち何れか一つの領域に前記論理的ＬＲＡを記録することを特徴とする請求項３７に記載の追記型情報記録媒体。
【請求項３９】
前記論理的ＬＲＡは、前記装置により、前記リードイン領域または前記リードアウト領域に配列された臨時ディスク管理領域に臨時ディスク定義構造として記録されることを特徴とする請求項３８に記載の追記型情報記録媒体。
【請求項４０】
アップデートされていないユーザデータのアドレス情報及び前記代替データのアドレス情報を含む代替エントリが、前記リードイン領域または前記リードアウト領域に前記装置により記録されることを特徴とする請求項３８に記載の追記型情報記録媒体。
【請求項４１】
前記代替エントリは、前記リードイン領域またはリードアウト領域に配列された臨時ディスク管理領域に臨時欠陥リスト情報として記録されることを特徴とする請求項４０に記載の追記型情報記録媒体。
【請求項４２】
前記装置は、前記代替エントリの位置を決定するために、前記論理的ＬＲＡに対応する物理的セクターナンバーを計算することを特徴とする請求項４０に記載の追記型情報記録媒体。
【請求項４３】
前記論理的ＬＲＡは、論理的アドレスまたは前記論理的アドレスに対応する物理的アドレスであることを特徴とする請求項３６に記載の追記型情報記録媒体。
【請求項４４】
記録及び／または再生装置であって、
追記型情報記録媒体に／からデータを記録／再生する光ピックアップと、
前記追記型情報記録媒体に／からデータを記録／再生するように前記光ピックアップを制御し、前記情報記録媒体に代替データを保存する制御部と、を備え、
前記情報記録媒体は、前記制御部により記録されるデータを保存する第１記録領域と、前記装置により記録される代替データを保存する第２記録領域と、を備え、
前記代替データは、前記装置が、前記第１記録領域の論理的ボリューム空間の前記代替データまたは前記ユーザデータの論理的ＬＲＡを記録するディスク欠陥管理方法によって前記第１記録領域に新たなデータを記録する度に記録されることを特徴とする装置。
【請求項４５】
前記第１記録領域は、ユーザデータ領域を備え、前記第２記録領域は、スペア領域を備えることを特徴とする請求項４４に記載の装置。
【請求項４６】
前記論理的ＬＲＡは、前記第１記録領域及び前記第２記録領域のうち何れか一方にある前記媒体のリードイン領域またはリードアウト領域に配列された臨時ディスク管理領域に臨時ディスク定義構造として前記装置により記録されることを特徴とする請求項４４に記載の装置。
【請求項４７】
前記制御部は、前記データの再生中に前記情報記録媒体から前記ＬＲＡを読み取り、前記論理的ＬＲＡを論理的セクターナンバーに変換し、前記代替データの位置のために、前記論理的セクターナンバーに対応する物理的セクターナンバーを計算することを特徴とする請求項４４に記載の装置。
【発明の詳細な説明】
【技術分野】
【０００１】
本発明は、ディスク分野に係り、さらに具体的には、ユーザデータ領域の最後の記録アドレス（Ｌａｓｔ  Ｒｅｃｏｒｄｅｄ  Ａｄｄｒｅｓｓ：ＬＲＡ）を管理するための情報記録媒体、記録／再生装置及び記録／再生方法に関する。
【背景技術】
【０００２】
書換型情報記録媒体の場合、一般的に、欠陥管理のためにデータ領域の一部にスペア領域を設ける。すなわち、ユーザデータ領域（データ領域でスペア領域を除いた領域）にユーザデータの記録／再生中に欠陥を発見すれば、その欠陥データを代替するための代替データをスペア領域に記録する。
【０００３】
また、追記型情報記録媒体の場合には、このような欠陥管理方法がＬＯＷ（Ｌｏｇｉｃａｌ  Ｏｖｅｒｗｒｉｔｅ）に利用される。ＬＯＷとは、追記型情報記録媒体への書換の実行と同様に使用可能にするための方法である。すなわち、ユーザデータ領域に既に記録されたデータを更新するために、あたかもこの記録されたデータが欠陥データのように取り扱って、この記録されたデータを代替するためのデータをスペア領域に記録して置く。これにより、ユーザデータ領域に記録されたデータの論理的なアドレスを固定しつつ、この論理的なアドレスに対応する物理的なアドレスをスペア領域に記録されたデータのアドレスにすることによって、あたかもホストの立場では、ユーザデータ領域にあるデータを、その同じ位置で書換のみが行われたように表示させうるので、管理を容易にする。これは、ホストが論理的なアドレスにのみ限定するためである。
【０００４】
しかし、ディスクの容量を最大限活用するために、欠陥管理によるＬＯＷ時、そのアップデートされるデータの記録をスペア領域に限定せず、ディスクのユーザデータ領域の未記録された領域に記録を行い、それによる代替情報（欠陥エントリ情報）を設ける方法が叫ばれている。
【０００５】
従来に代替される、すなわち、アップデートされるデータをスペア領域に限定して記録するＬＯＷは、ディスクのユーザデータ領域（ディスクの実際的な容量）に該当する論理的ボリューム空間と、ディスク上のユーザデータ領域に該当する物理的ボリューム空間との間には一対一対応となっている。すなわち、論理的ボリューム空間上で記録領域は、やはり物理的ボリューム空間上でも記録領域であり、論理的ボリューム空間上で未記録領域は、やはり物理的ボリューム空間上でも未記録領域である。もちろん、ホストでデータを管理する基本単位であるセクター（２０４８バイト）と、ドライブ上で記録／再生のための基本単位であるブロック（３２キロバイト、６４キロバイト）との差によるギャップは存在しうる。すなわち、ドライブシステムは、１ブロック未満のセクターのデータ記録命令をホストから受信した場合には、そのセクターにパッディングデータを付加して１ブロックを形成した後にその１ブロックを記録するため、このような場合にもギャップが存在しうる。
【０００６】
しかし、ＬＯＷのために、アップデートされるデータをスペア領域に限定せず、ユーザデータ領域の未記録領域にも記録可能にすることによって、ディスクのユーザデータ領域に該当するホストにおける論理的ボリューム空間とディスクのユーザデータ領域に該当するディスクの物理的ボリューム空間とにおける一対一対応関係は、それ以上維持されない。言い換えれば、論理的ボリューム空間上で、たとえ未記録領域であっても、物理的ボリューム空間上で未記録領域であるということが保証できなくなる。
【０００７】
以下、図１を参照して具体的な例をあげて説明する。図１は、従来の技術によって論理的ボリューム空間と物理的ボリューム空間上とのギャップを説明するための参考図である。図１に示すように、論理的ボリューム空間上のＬＲＡと、物理的ボリューム空間上のＬＲＡとが相異なるということが分かる。
【０００８】
ＤＶＤのＵＤＦのようなファイルシステムは、論理的ボリューム空間上の記録された最後のセクター番号（Ｌａｓｔ  Ｓｅｃｔｏｒ  Ｎｕｍｂｅｒ：ＬＳＮ）、ＬＳＮ−２５６、または２５６番地にファイルシステムのボリューム空間に関連した情報が記録された位置情報を有しているアンカーポイントを有する。ＬＲＡは、このような意味で、ディスクがローディングされたとき、ホストがファイルシステムを読み取るための始発点であると言える。媒体にデータを記録し、ファイルシステムを記録するような記録方式によって、このようなＬＲＡは、ディスク上で位置が変わりうる。このために、ＬＲＡを媒体上に記録して保管し、ディスクがドライブにローディングされたとき、ドライブが媒体上に記録されたＬＲＡをホストに提供することによって、ホストは、ドライブから受けたＬＲＡから再生命令を下してファイルシステムに関連した情報が容易に得られる。
【０００９】
図１Ａに示すように、データ領域は、スペア領域（ＳＡ）、ユーザデータ領域、スペア領域が連続的に設けられ、ユーザデータ領域の開始アドレスにデータＡが記録されている。このような場合には、ユーザデータ領域の論理的ボリューム空間と物理的ボリューム空間とが同一である。
【００１０】
しかし、図１Ｂに示すように、ユーザデータ領域に記録されたデータＡの代替のために、アップデートされたデータをデータＡに連続的に記録した場合に、ユーザデータ領域の物理的ボリューム空間で物理的ＬＲＡは、アップデートされたデータの末端であるが、ユーザデータ領域の論理的ボリューム空間でＬＲＡは、依然としてデータＡが最初に記録された位置の末端である。すなわち、論理的には、データＡが更新されただけであるので、論理的ボリューム空間には更新されたデータＡのみが存在する。しかし、物理的には、追記型媒体の上書き出来ない特性により、データＡのアップデートされたデータが最初に記録されたデータＡと別途にユーザデータ領域に記録されるため、物理的ボリューム空間には、最初に記録されたデータＡとアップデートされたデータＡとが存在する。したがって、論理的ボリューム空間と物理的ボリューム空間とでＬＲＡが相異なる。
【００１１】
すなわち、既存には物理的ＬＲＡと論理的ＬＲＡとが同じであることによって、ドライブは、媒体上に物理的ＬＲＡのみを記録すればよかった。しかし、代替データをスペア領域ではないユーザデータ領域の未記録領域に記録することによって、それ以上物理的ＬＲＡのみを記録することでは不十分である。
【発明の開示】
【発明が解決しようとする課題】
【００１２】
本発明は、前記問題点を解決して、ユーザデータ領域にデータのＬＲＡ情報を効率的に管理可能にする情報記録媒体、記録／再生装置及び記録／再生方法を提供することを目的とする。
【課題を解決するための手段】
【００１３】
前記課題を解決するための本発明の一つの特徴は、情報記録媒体において、前記媒体には、リードイン領域、データ領域、リードアウト領域が設けられ、前記データ領域は、ユーザデータを記録するためのユーザデータ領域と、前記ユーザデータ領域に記録されたデータを代替するための代替データを記録するためのスペア領域とを備え、前記ユーザデータ領域に記録されたユーザデータを代替するための代替データは、前記スペア領域または前記ユーザデータ領域の未記録領域に記録され、前記ユーザデータ領域の論理的ボリューム空間上でデータの論理的ＬＲＡが、前記リードイン領域またはリードアウト領域に記録されることである。
【００１４】
前記ユーザデータ領域の物理的ボリューム空間上でデータの物理的ＬＲＡ情報が、前記媒体にさらに記録されることが望ましい。前記論理的ＬＲＡは、論理アドレスまたは前記論理アドレスに対応する物理アドレスであることが望ましい。前記ＬＲＡは、前記リードの領域またはリードアウト領域に設けられる臨時ディスク管理領域（Ｔｅｍｐｏｒａｒｙ  Ｄｉｓｃ  Ｍａｎａｇｅｍｅｎｔ  Ａｒｅａ：ＴＤＭＡ）に臨時ディスク定義構造（Ｔｅｍｐｏｒａｒｙ  Ｄｉｓｃ  Ｄｅｆｉｎｉｔｉｏｎ  Ｓｔｒｕｃｔｕｒｅ：ＴＤＤＳ）として記録されることが望ましい。前記媒体は、追記型情報記録媒体であることが望ましい。
【００１５】
前記代替が行われれば、前記代替前の本来のデータのアドレス情報及び前記代替後の代替データのアドレス情報を含む代替エントリが、前記リードイン領域またはリードアウト領域にさらに記録されることが望ましい。前記代替エントリは、前記リードの領域またはリードアウト領域に設けられたＴＤＭＡに臨時欠陥リスト（Ｔｅｍｐｏｒａｒｙ  Ｄｅｆｅｃｔ  Ｌｉｓｔ：ＴＤＦＬ）情報として記録されることが望ましい。
【００１６】
本発明の他の特徴は、記録装置において、リードイン領域、データ領域、リードアウト領域が設けられ、前記データ領域は、ユーザデータを記録するためのユーザデータ領域と、前記ユーザデータ領域に記録されたデータを代替するための代替データを記録するためのスペア領域とを備える情報記録媒体にデータを記録する記録部と、前記ユーザデータ領域に記録されたデータを代替するための代替データを前記スペア領域または前記ユーザデータ領域の未記録領域に記録し、前記ユーザデータ領域の論理的ボリューム空間上でデータの論理的ＬＲＡ情報を前記リードイン領域またはリードアウト領域に記録するように前記記録部を制御する制御部と、を備えることである。
【００１７】
本発明のさらに他の特徴は、再生装置において、リードイン領域、データ領域、リードアウト領域が設けられ、前記データ領域は、ユーザデータを記録するためのユーザデータ領域と、前記ユーザデータ領域に記録されたデータを代替するための代替データを記録するためのスペア領域とを備え、前記ユーザデータ領域に記録されたデータを代替するための代替データが、前記スペア領域または前記ユーザデータ領域の未記録領域に記録された情報記録媒体からデータを読み取る読み取り部と、前記媒体のリードイン領域またはリードアウト領域から前記ユーザデータ領域の論理的ボリューム空間上でデータの論理的ＬＲＡ情報を読み取るように前記読み取り部を制御する制御部とを備えることである。
【００１８】
本発明のさらに他の特徴は、記録方法において、リードイン領域、データ領域、リードアウト領域が設けられ、前記データ領域は、ユーザデータを記録するためのユーザデータ領域と、前記ユーザデータ領域に記録されたデータを代替するための代替データを記録するためのスペア領域とを備える情報記録媒体の前記ユーザデータ領域に記録されたデータを代替するための代替データを、前記スペア領域または前記ユーザデータ領域の未記録領域に記録するステップと、前記ユーザデータ領域の論理的ボリューム空間上でデータの論理的ＬＲＡ情報を前記リードイン領域またはリードアウト領域に記録するステップとを含むことである。
【００１９】
本発明のさらに他の特徴は、再生方法において、リードイン領域、データ領域、リードアウト領域が設けられ、前記データ領域は、ユーザデータを記録するためのユーザデータ領域と、前記ユーザデータ領域に記録されたデータを代替するための代替データを記録するためのスペア領域とを備え、前記ユーザデータ領域に記録されたデータを代替するための代替データが前記スペア領域または前記ユーザデータ領域の未記録領域に記録される情報記録媒体からデータを読み取るステップと、前記媒体のリードイン領域またはリードアウト領域から、前記ユーザデータ領域の論理的ボリューム空間上でデータの論理的ＬＲＡを読み取るステップとを含むことである。
【発明の効果】
【００２０】
本発明によれば、代替データをスペア領域だけでなく、ユーザデータ領域の未記録領域にも記録するように具現するＬＯＷシステムにおいて、ファイルシステムのボリューム空間に関連した情報の記録された位置情報を有するユーザデータ領域のＬＲＡを効果的に管理することによって、データの記録／再生を信頼性よく行える。
【発明を実施するための最良の形態】
【００２１】
以下、添付された図面を参照して本発明を詳細に説明する。
【００２２】
図２は、本発明に係る記録／再生装置構成の概略的なブロック図である。図２に示すように、本実施例に係る記録／再生装置２００は、記録または再生が可能な装置であって、記録／再生部２２０及び制御部２１０を備える。記録／再生部２２０は、制御部２１０の制御によって、本実施例に係る情報記録媒体であるディスク４００に／からデータを記録／再生するためにデータを読み取る。制御部２１０は、本発明によってデータを所定の記録単位ブロックで記録するように記録／再生部２２０を制御するか、または記録／再生部２２０により読み取られたデータを処理して有効なデータを得る。本明細書で“／”の使用は、“／”の両側にある用語の‘及び／または’を意味する。
【００２３】
記録時、制御部２１０は、特に、本発明によってホストの命令またはドライブシステム自体の制御によってＬＯＷを具現してデータを記録するように記録／再生部２２０を制御する。ＬＯＷは、追記型媒体のユーザデータ領域に記録されたデータをアップデートするために、そのアップデートされた、すなわち、代替データをスペア領域またはユーザデータ領域の未記録領域に記録し、ホスト側面からの論理的アドレスは、変わらないように、本来のデータ及び代替データのアドレス情報を管理することを言う。本発明に係る制御部２１０は、このようにＬＯＷを通じてディスクにデータを記録し、本来のデータ及び代替データのアドレス情報を管理するための代替エントリを生成して、これをディスクのリードイン領域またはリードアウト領域に記録し、また、ユーザデータ領域の論理的ＬＲＡ（または論理的ＬＲＡ及び物理的ＬＲＡ）をディスクのリードイン領域またはリードアウト領域に記録するように制御する。ユーザデータ領域のＬＲＡには、ファイルシステムのボリューム空間に関連した情報の記録された位置情報が記録されているので、ホストがファイルシステムを読み取るための始発点となるため重要である。
【００２４】
図３は、図２に示す記録／再生装置の構成の細部的なブロック図である。図３に示すように、記録／再生装置２００は、記録／再生部２２０としてピックアップ２５０を備える。ディスク４００は、ピックアップ２５０に装着されている。また、記録／再生装置２００は、制御部２１０としてホストＩ／Ｆ  ２１１、ＤＳＰ  ２１２、ＲＦ  ＡＭＰ  ２１３、サーボ２１４及びシステム制御器２１５を備える。
【００２５】
記録時、ホストＩ／Ｆ  ２１１は、ホスト２４０から更新するデータと、前記更新するデータの論理的アドレス情報と共に記録命令を受信し、これをシステム制御器２１５に伝送する。
【００２６】
システム制御器２１５は、前記ホストＩ／Ｆ  ２１１から記録命令を受信して、記録に必要な初期化を行う。特に、本発明によって前記システム制御器２１５は、ＬＯＷを具現するが、すなわち、既にユーザデータ領域に記録されたデータをアップデートせねばならない場合に、システム制御器は、このアップデートされるデータがユーザデータ領域の物理的ボリューム空間の未記録領域に記録されるようにサーボ２１４を制御し、このような記録によって、このデータの論理的アドレス（アップデートされた場合にも、論理的アドレスは変わらない）に、このアップデートされたデータの物理的アドレスが対応するように代替エントリを生成して、これをディスクのリードイン領域またはリードアウト領域に記録するように制御する。そして、システム制御器２１５は、ユーザデータ領域の論理的ボリューム空間でデータがＬＲＡ（論理的ＬＲＡ）をディスクのリードイン領域またはリードアウト領域に記録するか、または論理的ＬＲＡと物理的ＬＲＡとを共にディスクのリードイン領域またはリードアウト領域に記録するように制御する。
【００２７】
ＤＳＰ  ２１２は、ホストＩ／Ｆ  ２１１から受けた記録するデータをエラー訂正のためにパリティなどの付加データを添加し、ＥＣＣエンコーディングを行って、エラー訂正ブロックであるＥＣＣブロックを生成した後、それを所定の方式で変調する。ＲＦ  ＡＭＰ  ２１３は、ＤＳＰ  ２１２から出力されたデータをＲＦ信号に変える。ピックアップ２５０は、ＲＦ  ＡＭＰ  ２１３から出力されたＲＦ信号をディスク２３０に記録する。サーボ２１４は、システム制御器２１５からサーボ制御に必要な命令を入力されて、ピックアップ２５０をサーボ制御する。
【００２８】
再生時、ホストＩ／Ｆ  ２１１は、ホスト２４０から再生命令を受ける。システム制御器２１５は、再生に必要な初期化を行う。特に、本発明によって前記システム制御器２１５は、まず、ディスク上に記録された論理的ＬＲＡを読み出して認識した後、これをＬＳＮ値に変更してホストに提供し、ホストからＬＲＡのデータを再生せよという命令を受ければ、システム制御器は、ＬＲＡの論理的セクターナンバーに対応する物理的セクターナンバー（Ｐｈｙｓｉｃａｌ  Ｓｅｃｔｏｒ  Ｎｕｍｂｅｒ：ＰＳＮ）を計算し、ディスクのリードイン領域またはリードアウト領域に記録された代替エントリを探して、この代替エントリから、前記ＰＳＮの代替された位置を探す。そして、システム制御器２１５は、この代替された位置に対応するディスクの所定領域を読み取るように制御して、このようなディスクの所定領域からデータを読み出して、そのデータをホストに提供するように制御する。
【００２９】
ピックアップ２５０は、ディスク４００にレーザビームを照射し、ディスク４００から反射されたレーザビームを受光して得られた光信号を出力する。ＲＦ  ＡＭＰ  ２１３は、ピックアップ２５０から出力された光信号をＲＦ信号に変え、ＲＦ信号から得られた変調されたデータをＤＳＰ  ２１２に提供する一方、ＲＦ信号から得られた制御のためのサーボ信号をサーボ２１４に提供する。ＤＳＰ  ２１２は、変調されたデータを復調し、ＥＣＣエラー訂正を経て得られたデータを出力する。
【００３０】
一方、サーボ２１４は、ＲＦ  ＡＭＰ  ２１３から受けたサーボ信号と、システム制御器２１５から受けたサーボ制御に必要な命令とを受けて、ピックアップ２５０に対するサーボ制御を行う。ホストＩ／Ｆ  ２１１は、ＤＳＰ  ２１２から受けたデータをホスト２４０に伝送する。
【００３１】
図４Ａは、本発明に係る情報記録媒体の構造図である。図４Ａに示すように、前記追記型情報記録媒体４００に記録されるデータ構造４００は、リードイン領域４１０、データ領域４２０及びリードアウト領域４３０を備える。
【００３２】
リードイン領域４１０は、ディスク管理領域２  ４１１、ＴＤＭＡ  ４１２及びディスク管理領域１  ４１３などを備える。
【００３３】
前記ＴＤＭＡ  ４１２は、追記型情報記録媒体の管理のための臨時欠陥管理及び臨時ディスク管理のための情報を記録するための領域をいう。
【００３４】
このようなＴＤＭＡ  ４１２は、ＴＤＦＬ  ４１４、ＴＤＤＳ  ４１５及びスペースビットマップ（Ｓｐａｃｅ  Ｂｉｔ  Ｍａｐ：ＳＢＭ）４１６を備える。
【００３５】
前記ＴＤＦＬ  ４１４は、臨時欠陥に関する情報を言い、欠陥データの位置情報と、この欠陥データを代替する代替データの位置情報とを含む。特に、本発明によってＴＤＦＬは、代替エントリ４１７を備える。
【００３６】
図４Ｂに示すように、代替エントリ４１７は、状態１と、本来のアドレス２と、代替アドレス３とを備える。
【００３７】
状態１は、ユーザデータ領域のデータが記録された部分の開始または終了を表す。本来のアドレス２は、ユーザデータ領域でデータが代替される前、すなわち、アップデート前の本来のデータが記録されたアドレスを表し、代替アドレス３は、ユーザデータ領域でデータが代替されてから代替されたデータが記録されたアドレスを表す。
【００３８】
ＴＤＤＳ  ４１５は、前記ＴＤＦＬ、ＳＢＭ、ドライブ領域の位置ポインタを有しており、また、初期化時に割り当てられるスペア領域の位置及びサイズ情報、記録防止情報、データ領域に割り当てられた臨時欠陥管理領域の位置及びサイズ情報、ユーザデータ領域についての情報、それぞれのスペア領域で代替可能な位置情報などが記録される。特に、本発明によってＴＤＤＳ  ４１５には、図４Ｃに示すように、ユーザデータ領域の論理的ＬＲＡ情報４１８が記録されるか、または図４Ｄに示すように、ユーザデータ領域の論理的ＬＲＡとユーザデータ領域の物理的ＬＲＡとが共に記録される。
【００３９】
ＳＢＭ  ４１６は、ユーザデータ領域のそれぞれのクラスタについての記録有無をビット値で表したユーザデータ領域の記録有無を表すマップを言う。ＳＢＭは、ユーザデータ領域をランダム記録モードとして使用する場合に利用され、ユーザデータ領域をシーケンシャル記録モードとして使用する場合には、データの記録状態をエントリ情報として表す記録管理情報が利用される。
【００４０】
ディスク管理領域１  ４１３、ディスク管理領域２  ４１１、ディスク管理領域３
４３１及びディスク管理領域４  ４３２は、このような追記型媒体が最終化される場合に最終的な臨時ディスク管理情報を記録するための領域である。
【００４１】
データ領域４２０は、スペア領域４２１、ユーザデータ領域４２２、スペア領域４２３が連続的に設けられている。
【００４２】
スペア領域４２１及びスペア領域４２３は、ユーザデータ領域４２２に記録されたデータを代替する、代替データを記録するための領域である。
【００４３】
ユーザデータ領域４２２は、ユーザデータを記録するための領域であり、特に、本発明によってユーザデータを代替する代替データは、スペア領域に記録されるだけでなく、このユーザデータ領域にも記録される。
【００４４】
図５は、本発明の一例によってＬＲＡを管理する方法を説明するための参考図である。図５Ａは、第１記録後のディスクの状態を示す図であり、図５Ｂは、第２記録後のディスクの状態を示す図であり、図５Ｃは、第３記録後の状態を示す図であり、図５Ｄは、第４記録後のディスクの状態を示す図である。
【００４５】
まず、論理的ボリューム空間上のＬＳＮをＬＳＮ  ０〜ＬＳＮ  ３１９９９とし、これに対応する物理的ボリューム空間上のＰＳＮをＰＳＮ  １００００〜４１９９９とする。そして、それぞれのデータの大きさが同じく３２０セクターで構成されているとする。このとき、それぞれのＬＳＮ  ｉは、ＰＳＮ  １００００＋ｉに対応する。
【００４６】
図５Ａに示すように、第１記録後には、ユーザデータ領域の最初のアドレスにデータＡのみが記録されている。まだ、何なる代替も行われていないため、ユーザデータ領域の論理的ＬＲＡと物理的ＬＲＡとは同一である。すなわち、第１記録後に論理的ＬＲＡ＝物理的ＬＲＡは、ＰＳＮ  １０３１９であり、まだ、何なる代替も行われていないため、代替エントリは無い。図６に示すように、第１記録後にＴＤＤＳに記録されるＬＲＡ情報には、論理的ＬＲＡと物理的ＬＲＡとが同じくＰＳＮ  １０３１９が記録される。
【００４７】
図５Ｂに示すように、第２記録後には、データＡのアップデートされたデータがデータＡの次の位置に記録されている。論理的ボリューム空間には、依然として、データＡに関するものしか存在しないため、論理的ＬＲＡは変わらないが、物理的ボリューム空間には、データＡのアップデートされたデータがデータＡの次の位置に記録されるため、物理的ＬＲＡは変わる。すなわち、第２記録後に論理的ＬＲＡは、ＰＳＮ
１０３１９そのままであり、物理的ＬＲＡは、ＰＳＮ  １０６３９である。
【００４８】
したがって、図６に示すように、第２記録後ＴＤＤＳに記録されるＬＲＡ情報には、論理的ＬＲＡと物理的ＬＲＡとがそれぞれＰＳＮ  １０３１９、ＰＳＮ  １０６３９と記録される。
【００４９】
また、図７に示すように、第２記録後に代替エントリは、ＰＳＮ  １００００ないしＰＳＮ  １０３１９がＰＳＮ  １０３２０ないしＰＳＮ  １０６３９に代替されたことを表示するために、二つの代替エントリが生成される。一つは、代替前の本来のデータ及び代替データの開始アドレスに関する代替エントリであり、他の一つは、代替前の本来のデータ及び代替データの終了アドレスに関する代替エントリである。前記開始アドレスに関する代替エントリは、状態フィールドに“開始”で表示され、本来のアドレスフィールドには、本来のデータの開始アドレスである“ＰＳＮ  １００００”が記録され、代替アドレスフィールドには、代替データの開始アドレスである“ＰＳＮ  １０３２０”が記録される。また、前記終了アドレスに関する代替エントリは、状態フィールドに“終了”で表示され、本来のアドレスフィールドには、本来のデータの終了アドレスである“ＰＳＮ  １０３１９”が記録され、代替アドレスフィールドには、代替データの終了アドレスである“ＰＳＮ  １０６３９”が記録される。
【００５０】
図５Ｃに示すように、第３記録により物理的ボリューム空間でアップデートされたデータＡの次の位置にデータＢが記録されている。第３記録後に論理的ボリューム空間には、データＡ及びデータＢが記録されており、物理的ボリューム空間には、データＡ、アップデートされたデータＡ及びデータＢが記録されている。したがって、第２記録後と比較して、論理的ＬＲＡも変わり、物理的ボリューム空間には、データＡのアップデートされたデータがデータＡの次の位置に記録されるため、物理的ＬＲＡは変わる。
【００５１】
したがって、図６に示すように、第３記録後にＴＤＤＳに記録されるＬＲＡ情報には、論理的ＬＲＡと物理的ＬＲＡとがそれぞれＰＳＮ  １０６３９、ＰＳＮ  １０９５９と記録される。
【００５２】
第３記録後に代替エントリは、データＢがさらに記録されたことを表示するために、ＰＳＮ  １０３２０ないしＰＳＮ  １０６３９がＰＳＮ  １０６４０ないしＰＳＮ  １０９５９に代替されたということを表す代替エントリが追加される。もし、データＢが記録される論理的なボリューム空間に該当する物理的ボリューム空間が未記録領域であれば、データＢを論理的ボリューム空間に対応する物理的ボリューム空間に記録することによって、このような代替エントリは不要となる。しかし、図５Ｃに示すように、データＡのＬＯＷによるアップデートによって、ドライブが既にデータＢの記録された論理的ボリューム空間に対応する物理的ボリューム空間を使用した場合に、データＢをこの物理的ボリューム空間に記録できないことによって、ドライブシステムは、新たな未記録の物理的ボリューム空間にデータＢを記録し、このための代替エントリを設けなければならない。
【００５３】
図７に示すように、第３記録後にＰＳＮ  １０３２０ないしＰＳＮ  １０６３９がＰＳＮ  １０６４０ないしＰＳＮ  １０９５９に代替されたことを表示するために、二つの代替エントリが生成される。一つは、開始アドレスに関する代替エントリであって、状態フィールドに“開始”で表示され、本来のアドレスフィールドには、本来のデータの開始アドレスである“ＰＳＮ  １０３２０”が記録され、代替アドレスフィールドには、代替データの開始アドレスである“ＰＳＮ  １０６４０”が記録される。また、他の一つは、終了アドレスに関する代替エントリであって、状態フィールドに“終了”で表示され、本来のアドレスフィールドには、本来のデータの終了アドレスである“ＰＳＮ  １０６４０”が記録され、代替アドレスフィールドには、代替データの終了アドレスである“ＰＳＮ  １０９５９”が記録される。
【００５４】
図５Ｄに示すように、第４記録により物理的ボリューム空間でデータＢの次の位置にアップデートされたデータＢ及びアップデートされたデータＡ’が記録されている。第４記録後に論理的ボリューム空間には、データＡ及びデータＢが記録されており、物理的ボリューム空間には、データＡ、アップデートされたデータＡ、データＢ、アップデートされたデータＢ、及びアップデートされたデータＡ’が記録されている。すなわち、第４記録後に論理的ＬＲＡは、ＰＳＮ  １０６３９そのままであり、物理的ＬＲＡは、ＰＳＮ１１５９９である。
【００５５】
したがって、図６に示すように、第４記録後にＴＤＤＳに記録されるＬＲＡ情報には、論理的ＬＲＡ及び物理的ＬＲＡがそれぞれＰＳＮ  １０６３９、ＰＳＮ１１５９９と記録される。
【００５６】
図７に示すように、第４記録後に代替エントリは、データＢ及びアップデートされたデータＡのアップデートによって第３記録後、すなわち、データＢの記録により生成された代替エントリの代替アドレスは、ＰＳＮ  １０９６０ないしＰＳＮ１１２７９に変わり、第２記録後、すなわち、データＡのアップデートにより生成された代替エントリの代替アドレスは、ＰＳＮ１１２８０ないしＰＳＮ１１５９９に変わる。
【００５７】
すなわち、図７において、第４記録後に記録される４つの代替エントリのうち最初の２つは、データＡに関する代替エントリであり、次の２つは、データＢに関する代替エントリを表す。図７に示すように、最初の２つの代替エントリは、データＡの本来のアドレスがＰＳＮ  １００００ないしＰＳＮ  １０３１９であり、このデータＡを代替するデータの代替アドレスがＰＳＮ１１２８０ないしＰＳＮ１１５９９であることを表示する。そして、最後の２つの代替エントリは、データＢの本来のアドレスがＰＳＮ  １０３２０ないしＰＳＮ  １０６３９であり、このデータＢを代替するデータの代替アドレスがＰＳＮ  １０９６０ないしＰＳＮ１１２７９であることを表示する。このように、連続的に代替された状態を表すためには、開始及び終了を表す二つの代替エントリにより効果的に表しうる。
【００５８】
図８は、本発明によってＬＲＡ及び代替エントリを記録する過程を示すフローチャートである。ＬＲＡ及び代替エントリの記録は、レコーディングオペレーション動作で表れる。図８に示すように、ＬＯＷにより、既にユーザデータ領域に記録されたデータをアップデートするために、この記録されたデータを代替するデータをユーザデータ領域の未記録領域またはスペア領域にアップデートする（８１０）。
【００５９】
このようなアップデート動作によって代替エントリを生成する（８２０）。すなわち、図５及び図７を参照して説明したように、ユーザデータ領域に既に記録されたデータをアップデートする場合、このようなアップデートにより、または新たにデータを記録する場合でも、新たにデータを記録する論理的ボリューム空間に対応する物理的ボリューム空間が他のデータで満たされた場合であれば、代替エントリを生成する。
【００６０】
このように生成された代替エントリを、ディスクのＴＤＦＬ領域のＴＤＦＬとして記録する（８３０）。
【００６１】
次いで、論理的ＬＲＡまたは論理的ＬＲＡ及び物理的ＬＲＡを備えるＬＲＡ情報をディスクのＴＤＤＳ領域のＴＤＤＳとして記録する（８４０）。
【００６２】
図９は、本発明によって記録されたＬＲＡを利用してデータを再生する過程を示すフローチャートである。図９に示すように、図８に示す方法によってデータが記録され、アップデートされたディスクがドライブ、例えば、図２の記録／再生装置２００にローディングされれば（９１０）、ドライブシステム２００は、ホスト２４０にＬＲＡを提供するために、まずディスク上に記録されたＬＲＡを認識した後、ＬＳＮ値としてホスト２４０に提供する（９２０）。図８に示すように、ＬＲＡは、ディスクのＴＤＤＳ領域に記録されており、論理的ＬＲＡのみが記録されているか、または論理的ＬＲＡと物理的ＬＲＡとが共に記録されていてもよい。
【００６３】
ドライブシステム２００からＬＲＡを提供されたホスト２４０は、まず、ＬＲＡのデータを再生せよという命令をドライブシステム２００に伝送する（９３０）。
【００６４】
それにより、まず、この命令を受けたドライブシステム２００は、ホスト２４０の命令によるＬＲＡのＬＳＮに対応するＰＳＮを計算し、代替エントリで前記ＰＳＮが代替された位置を探す（９４０）。代替エントリは、図８に示すように、ディスクのＴＤＦＬ領域に記録されている。
【００６５】
次いで、ドライブシステム２００は、この探された位置を利用して、この位置にあるデータを読み取って、そのデータをホスト２４０に伝送する（９５０）。
【００６６】
図５ないし図７を参照して説明した、例えば、図９の動作を説明すれば、ホスト２４０がＬＲＡを要求するとき、ドライブシステム２００は、論理的ＬＲＡであるＰＳＮ  １０６３９に対応するＬＳＮ  ６３９をホストに伝送する。ホスト２４０がＬＳＮ６３９に再生命令を下せば、ドライブシステム２００は、ＬＳＮ  ６３９に対応するＰＳＮ  １０６３９を探して代替エントリを検査する。そして、代替エントリ上でＰＳＮ  １０６３９がＰＳＮ１１２７９に代替されているということを確認し、ＰＳＮ  １１２７９を再生してホストに伝送する。
【００６７】
また、前述したような記録／再生方法は、コンピュータで読み取り可能な記録媒体にコンピュータで読み取り可能なコードとして具現することができる。コンピュータで読み取り可能な記録媒体は、コンピュータシステムによって読み取られうるデータが保存される全ての種類の記録装置を含む。コンピュータで読み取り可能な記録媒体の例としては、ＲＯＭ（Ｒｅａｄ  Ｏｎｌｙ  Ｍｅｍｏｒｙ）、ＲＡＭ  （Ｒａｎｄｏｍ  Ａｃｃｅｓｓ  Ｍｅｍｏｒｙ）、ＣＤ−ＲＯＭ、磁気テープ、フロッピー（登録商標）ディスク、光データ保存装置などがあり、また、キャリアウェーブ（例えば、インターネットを介した伝送）の形態で具現されるものも含む。また、コンピュータで読み取り可能な記録媒体は、ネットワークに連結されたコンピュータシステムに分散されて、分散方式でコンピュータで読み取り可能なコードが保存され、かつ実行されうる。そして、前記記録／再生方法を具現するための機能的なプログラム、コード及びコードセグメントは、当業者により容易に推論されうる。
【００６８】
以上、本発明についてその望ましい実施例を中心に説明した。当業者は、本発明が本発明の本質的な特性から逸脱しない範囲で変形された形態で具現されうることを理解できるであろう。したがって、開示された実施例は、限定的な観点ではなく、説明的な観点で考慮されねばならない。本発明の範囲は、前述した説明ではなく、特許請求の範囲に示されており、それと同等な範囲内にある全ての差異点は、本発明に含まれたものと解釈されねばならない。
【図面の簡単な説明】
【００６９】
【図１】従来の技術によって論理的ボリューム空間及び物理的ボリューム空間上のギャップを説明するための参考図である。
【図２】本発明に係る記録／再生装置の概略的なブロック図である。
【図３】図２に示す記録／再生装置の細部的な構成図である。
【図４Ａ】本発明に係る情報記録媒体の構造図である。
【図４Ｂ】本発明に係る情報記録媒体の構造図である。
【図４Ｃ】本発明に係る情報記録媒体の構造図である。
【図４Ｄ】本発明に係る情報記録媒体の構造図である。
【図５】本発明の一例によってＬＲＡを管理する方法を説明するための参考図である。
【図６】図５に示す例によって記録されるＬＲＡを説明するための参考図である。
【図７】図５に示す例によって記録される代替エントリを説明するための参考図である。
【図８】本発明によってＬＲＡ及び代替エントリを記録する過程を示すフローチャートである。
【図９】本発明によって記録されたＬＲＡを利用してデータを再生する過程を示すフローチャートである。
【図１】
2008508657.tif 000003
【図２】
2008508657.tif 000004
【図３】
2008508657.tif 000005
【図４Ａ】
2008508657.tif 000006
【図４Ｂ】
2008508657.tif 000007
【図４Ｃ】
2008508657.tif 000008
【図４Ｄ】
2008508657.tif 000009
【図５】
2008508657.tif 000010
【図６】
2008508657.tif 000011
【図７】
2008508657.tif 000012
【図８】
2008508657.tif 000013
【図９】
2008508657.tif 000014
【国際調査報告】
2008508657.tif 000015
2008508657.tif 000016